(57)【要約】【課題】  ピックアップ上の固有振動が最大限抑制されるか、又は、少なくともクリティカルでない周波数帯域にシフトされた、光記録担体のための記録又は再生装置を提供する。【解決手段】  可撓性歯付ラックの代わりに、好ましくはリブにより補強され、駆動体によりピックアップの駆動体に対して位置される歯付ラックが用いられる。全ての駆動体は、案内ロッドが通される案内穴を有する。歯付ラックの駆動体及びピックアップの駆動体の間に設けられるのは、ワイヤスプリングとして形成され、歯付ラック及びピックアップの間の軸方向の遊びを補償し、また、歯付ラックを駆動させる歯車に対して歯付ラックを押圧する圧縮及び捻りスプリングである。【選択図】  図１
2005025926.tif 000002
【特許請求の範囲】
【請求項１】
記録担体へのデータの記録又は該記録担体からのデータの読み出しのための記録又は読み出しデバイス（Ｐ）を有する記録又は再生装置において、
案内穴（ＢＰ）を有する少なくとも１つの駆動体（ＭＰ）、又は、各々が案内穴（ＢＰ）を有する、間隔を空けた２つの駆動体（ＭＰ）が前記記録又は読み出しデバイス（Ｐ）上に設けられ、
前記案内穴（ＢＰ）には、前記記録又は読み出しデバイス（Ｐ）を案内するための案内ロッド（Ｓ１）が通され、
前記第１の案内ロッド（Ｓ１）が同様に通される案内穴（ＢＺ）を有する少なくとも１つの駆動体（ＭＺ）が、歯車とかみあう前記歯付ラック（Ｚ）上に配置され、
前記歯付ラック（Ｚ）の前記駆動体（ＭＺ）が２つの前記駆動体（ＭＰ）の間に配置されるか、又は、前記案内ロッド（Ｓ１）上で前記記録又は読み出しデバイス（Ｐ）の１つ又は両方の前記駆動体（ＭＰ）を囲み、
前記記録又は読み出しデバイス（Ｐ）の少なくとも１つの前記駆動体（ＭＰ）及び前記歯付ラック（Ｚ）の少なくとも１つの前記駆動体（ＭＺ）の間に圧縮及び捻りスプリング（Ｆ）が設けられ、前記記録又は読み出しデバイス（Ｐ）及び前記歯付ラック（Ｚ）の間の軸方向の遊びを補償し、且つ、前記記録又は読み出しデバイス（Ｐ）上に前記圧縮及び捻りスプリング（Ｆ）により支持される前記歯付ラック（Ｚ）を、前記歯車に対して押圧することを特徴とする記録又は再生装置。
【請求項２】
前記圧縮及び捻りスプリングは、少なくとも１つのターン（Ｗ）と、その各端に前記歯付ラック（Ｚ）上及び前記記録又は読み出しデバイス（Ｐ）上での支持のためのフック（Ｈ）とを有する螺旋スプリングを含むひとつなぎのスプリングとして形成されることを特徴とする請求項１に記載の記録又は再生装置。
【請求項３】
前記圧縮及び捻りスプリング（Ｆ）は少なくとも２つの前記ターン（Ｗ）を有することを特徴とする請求項２に記載の記録又は再生装置。
【請求項４】
前記圧縮及び捻りスプリング（Ｆ）は、ワイヤから形成されることを特徴とする請求項２又は３に記載の記録又は再生装置。
【請求項５】
前記第１の案内ロッド（Ｓ１）及び前記圧縮及び捻りスプリング（Ｆ）の前記ターン（Ｗ）の間にセンタリング・リング（Ｒ）が設けられることを特徴とする請求項２から４のいずれか１項に記載の記録又は再生装置。
【請求項６】
前記センタリング・リング（Ｒ）はプラスチックから形成されることを特徴とする請求項５に記載の記録又は再生装置。
【請求項７】
前記記録又は読み出しデバイス（Ｐ）の前記駆動体（ＭＰ）の間に配置される２つの前記駆動体（ＭＺ）は、前記歯付ラック（Ｚ）上に間隔を空けて配置されることを特徴とする請求項１から６のいずれか１項に記載の記録又は再生装置。
【請求項８】
前記歯付ラック（Ｚ）の２つの前記駆動体（ＭＺ）を囲む前記記録又は読み出しデバイス（Ｐ）の２つの前記駆動体（ＭＰ）は、前記歯付ラック（Ｚ）上に間隔を空けて配置されることを特徴とする請求項１から６のいずれか１項に記載の記録又は再生装置。
【請求項９】
前記歯付ラック（Ｚ）を補強するために、その前記駆動体（ＭＺ）は、リブ（ＲＰ）により相互に連結されることを特徴とする請求項１から８のいずれか１項に記載の記録又は再生装置。
【請求項１０】
前記第１の案内ロッドに平行に走る第２の案内ロッド（Ｓ２）が通されるフォーク型ガイド（Ｆ２）が、前記記録又は読み出しデバイス上に設けられることを特徴とする請求項１から９のいずれか１項に記載の記録又は再生装置。
【請求項１１】
前記歯付ラック（Ｚ）は前記第１の案内ロッド（Ｓ１）のまわりをピボット回転することができることを特徴とする請求項１から１０のいずれか１項に記載の記録又は再生装置。
【発明の詳細な説明】
【技術分野】
【０００１】
本発明は、記録担体へのデータの記録又は該記録担体からのデータの読み出しのための記録又は読み出しデバイスを備えた記録又は再生装置に関し、少なくとも１つの駆動体が光記録デバイス又は光読み出しデバイス上に設けられ、歯付ラックの駆動体により案内ロッド上を案内される。
【背景技術】
【０００２】
記録又は再生装置の例は、ＣＤ又はＤＶＤ再生機である。該ＣＤ又はＤＶＤ再生機は、少なくとも１つの光スキャニングデバイス、いわゆるピックアップを装備しており、コンパクトディスク（略称はＣＤ）又はデジタルバーサタイルディスク（略称はＤＶＤ）などの光記録担体からデータを読み出すことができる。
【０００３】
ピックアップは、粗ドライブによって、また、適切であるなら精密設定のための微細ドライブによって、ディスク型記録担体のデータトラック上に位置決めされている。ピックアップは、粗ドライブにより、記録担体上を半径方向に移動される。該粗ドライブは、ピックアップに堅固に固着されている歯付ラックと、歯付ラックとかみあい、且つ、電動モータにより駆動される歯車とにより構成されることが好ましい。
【０００４】
ピックアップが、記録担体のデータトラック上にできるだけ早く且つ正確に位置決めされるために、粗ドライブは、最小限の遊びで動作するべきである。
【発明の開示】
【発明が解決しようとする課題】
【０００５】
よって、本発明の目的は、記録担体へのデータの記録又は該記録担体からのデータの読み出しのための記録又は再生装置のピックアップの粗ドライブを、最小限の遊びで設計することにより、常に早く且つ正確なピックアップの位置決めを得ることである。
【課題を解決するための手段】
【０００６】
本発明は、この目的を達成するために、請求項１において詳述される特徴の通り、記録又は読み出しデバイスの少なくとも１つの駆動体及び案内ロッド上に配置される歯付ラックの駆動体の間に圧縮及び捻りスプリングを設ける。圧縮及び捻りスプリングは、歯付ラックの軸方向の遊びを補償するために、記録又は読み出しデバイスの駆動体に対して歯付ラックの駆動体を押圧し、且つ、記録又は読み出しデバイス上に支持される歯付ラックを、歯車に対して押圧する。
【０００７】
少なくとも１つのターンを有し、その各端に捻り効果を得るためのフックが設けられる螺旋状のスプリングを含むひとつなぎのスプリングとしての圧縮及び捻りスプリングにより、記録又は読み出しデバイス、つまりピックアップ及び歯付ラックの間の軸方向の遊びと、それと同時に、歯付ラック及びそれとかみあう歯車の間の遊びとが補償される。結果として、ピックアップの、とりわけ正確で早い位置決めが達成される。
【０００８】
遊びを補償するために圧縮及び捻りスプリングを用いることは、歯付ラックの可撓性駆動体を剛性にし、より優れた精度且つ速度を達成することを可能にする。歯付ラックは、リブにより補強されることが好ましい。
【０００９】
可撓性歯付ラックの代わりに剛性歯付ラックを有するピックアップは、トラック制御及びフォーカシングの両方を多大に損なうピックアップの固有振動が、最大限抑制されるか、少なくとも、クリティカルでない周波数帯域にシフトするという効果により特徴付けられる。圧縮及び捻りスプリングは、好ましい方法で、ターンを２つだけ備えるワイヤスプリングとして形成されてもよい。
【００１０】
本発明は、図面に示される例示的な実施形態に基づいてより具体的に詳述される。
【発明を実施するための最良の形態】
【００１１】
図１では、本発明による記録又は再生装置の第１の例示的な実施形態の、記録又は読み出しデバイス、いわゆるピックアップの全体像が図示されている。
【００１２】
ピックアップＰ上に間隔を空けて配置されるのは２つの駆動体ＭＰである。該２つの駆動体ＭＰの各々は、第１の案内ロッドＳ１が通される案内穴ＢＰを有し、ピックアップＰは、該案内ロッドＳ１に沿って、歯付ラックＺと、歯付ラックＺとかみあい例えば電動モータにより駆動される歯車（全体を明確にするために図示無し）とにより案内されることができる。歯付ラックＺ上に間隔を空けて配置されているのが２つの駆動体ＭＺである。該２つの駆動体ＭＺの各々は、第１の案内ロッドＳ１が同様に通される案内穴ＢＰを有する。歯付ラックＺの２つの駆動体ＭＺは、ピックアップＰの２つの駆動体ＭＰの間に位置され、これら駆動体ＭＰはストップとしての働きをする。
【００１３】
ピックアップＰの駆動体ＭＰ及び歯付ラックＺの駆動体ＭＺの間に配置されるのは、少なくとも１つの、又は、２つのターンを有する螺旋スプリングに形成される圧縮及び捻りスプリングＦである。ターンＷは、第１の案内ロッドＳ１を囲む。
【００１４】
フックＨが、圧縮及び捻りスプリングＦのターンの各端に設けられる。１つのフックＨはピックアップＰの駆動体ＭＰ上に支持される一方、別のフックＨは、歯付ラックＺの駆動体ＭＺ上に支持される。その結果、歯付ラックＺは歯車に対して押圧される。圧縮及び捻りスプリングＦの螺旋状のターンＷにより、歯付ラックＺ及びピックアップＰの間の軸方向の遊びも同時に補償される。
【００１５】
歯付ラックＺを補強するために、その２つの駆動体ＭＺは、歯付ラックＺにより剛性を与えるリブＲＰにより相互に連結されている。それにより、ピックアップＰの固有振動が大幅に抑制されるか、又はクリティカルでない周波数帯域にシフトする。
【００１６】
歯付ラックＺの２つの駆動体ＭＺは、他の選択肢として、リブの代わりとなることができる単一の管形駆動体に形成されてもよい。
【００１７】
歯付ラックＺの駆動体ＭＺ及びピックアップＰの駆動体ＭＰもまた、相互に位置を入れ替えてもよい。図１に示される形状では、ピックアップＰの駆動体ＭＰが歯付ラックＺの駆動体ＭＺを囲む一方、別の構成では、歯付ラックＺの駆動体ＭＺがピックアップＰの駆動体ＭＰを囲む。
【００１８】
図２では、圧縮及び捻りスプリングＦの例示的な実施形態の全体図が示される。圧縮及び捻りスプリングＦは、２つのターンを有し、その各端にフックＨが形成される螺旋スプリングに形成される。１つのフックＨがピックアップＰの駆動体ＭＰ上の支持としての働きをする一方、他のフックＨは、歯付ラックＺの駆動体ＭＺのうちの１つの上に支持として設けられる。
【００１９】
圧縮及び捻りスプリングの効果の１つとして、ワイヤスプリングとして容易に、且つ、非常に低費用で形成することができるということが考えられる。
【００２０】
図３は、歯付ラックＺの例示的な実施形態の全体図を示し、該歯付ラックＺ上には、２つの駆動体ＭＺが間隔を空けて配置されている。案内穴ＢＺが駆動体ＭＺの各々に形成されている。駆動体ＭＺの案内穴ＢＺの１つに設けられるのは、圧縮及び捻りスプリングＦが第１の案内ロッドＳ１と接触するのを防止するセンタリング・リングＲであり、それにより、歯付ラックＺ及び第１の案内ロッドＳ１の間の摩擦が低減される。よって、歯付ラックＺは、ピボット軸としての第１の案内ロッドＳ１のまわりを容易にピボット回転することができる。センタリング・リングＲはプラスチックにより形成されることが好ましい。
【００２１】
図４では、ピックアップＰの第２の例示的な実施形態が全体図で示されている。図１に示される第１の例示的な実施形態と異なるのは、第１の案内ロッドに平行に走る第２の案内ロッドＳ２が通されるフォーク型ガイドＦ２が設けられるという点である。
【００２２】
本発明は、ピックアップの固有振動が大幅に抑制されるか、又は、クリティカルでない周波数帯域にシフトされるという効果により特徴付けられる。本発明の更なる効果として、可撓性歯付ラックの代わりに圧縮及び捻りスプリングを用いることにより剛性の歯付ラックを用いることができるようになり、歯付ラック及びピックアップの間の軸方向の遊びと、歯付ラック及びそれとかみあう歯車の間の遊びとが同時に補償されるという効果をより高めるということが考えられる。最後に、更なる効果として、圧縮及び捻りスプリングは容易且つ低費用で製造することができるワイヤスプリングとして形成されてもよいという点も含まれる。
【図面の簡単な説明】
【００２３】
【図１】本発明による記録又は再生装置の記録又は読み出しデバイスの第１の例示的な実施形態を示す全体図である。
【図２】圧縮及び捻りスプリングの例示的な実施形態を示す全体図である。
【図３】圧縮及び捻りスプリングを有する歯付ラックを示す全体図である。
【図４】本発明による記録又は再生装置の記録又は読み出しデバイスの第２の例示的な実施形態を示す全体図である。
【図１】
2005025926.tif 000003
【図２】
2005025926.tif 000004
【図３】
2005025926.tif 000005
【図４】
2005025926.tif 000006
【外国語明細書】
2005025926.tif 000007
2005025926.tif 000008
2005025926.tif 000009
2005025926.tif 000010
2005025926.tif 000011
2005025926.tif 000012
2005025926.tif 000013
2005025926.tif 000014
2005025926.tif 000015
2005025926.tif 000016
2005025926.tif 000017
2005025926.tif 000018
2005025926.tif 000019
2005025926.tif 000020